(57)【特許請求の範囲】
【請求項１】
筒状のケース本体と、端部に押ボタンが装着されて上記ケース本体の一端部にばね反力を受けて軸移動可能に嵌合された筒状の操作体と、この操作体に所定の範囲内で往復動および旋回可能にばね反力を受けて嵌合された筒状の可動体と、この可動体で開閉操作される内蔵スイッチと、上記可動体を所定位置にロック保持するロック機構と、上記操作体の所定の軸移動に応動して所定の回動位置で上記可動体のロックを解除するロック解除機構とを具備し、
上記ロック機構は、上記ケース本体の周壁に突設されたロック用突片と、上記可動体の周壁に形成されて上記ロック用突片に係合されるロック用溝とを備え、
上記ロック解除機構は、上記可動体の周壁に突設された操作突部と、上記操作体の周壁に形成された傾斜面を有する操作溝とを備え、
上記ロック機構の上記ロック用溝が上記ロック用突片に係合したロック状態で上記押ボタンを押圧操作して上記操作体と可動体との間に介装されたばね部材に圧縮およびねじりばね力を蓄積し、上記押ボタンの所定の押し込み位置で、上記押ボタンの押し込みに伴う上記操作体の軸移動によって、上記ロック解除機構の上記操作溝の上記傾斜面を、上記操作突部に強制的に押圧させて上記可動体を強制的に旋回させ、上記ロック解除機構の上記可動体を旋回させるロック解除動作で上記ロック機構の上記ロック用溝と上記ロック用突片との係合を解除して、上記可動体を瞬時に飛び出させて上記内蔵スイッチを開閉操作させるとともに、上記ねじりばね力によって上記可動体を旋回復帰させて該可動体を操作位置に保持して上記内蔵スイッチの動作状態を保持するように構成したことを特徴とする押ボタンスイッチ。
【請求項２】
上記内蔵スイッチの動作状態は、上記可動体の周壁に形成された係止突部を、上記ロック用突片に係合させることによって保持されることを特徴とする請求項１記載の押ボタンスイッチ。
【請求項３】
上記ケース本体の上記ロック用突片が円弧状片から構成されていることを特徴とする請求項２に記載の押ボタンスイッチ。
【請求項４】
操作体の周壁に係合突起を突設し、上記係合突起より大口径の係合穴を可動体に形成して、上記操作体を可動体に軸移動および回動可能に嵌合するとともに、上記係合突起を係合穴に遊嵌して、上記可動体が操作体に対し所定の範囲内で軸移動および旋回可能に結合されていることを特徴とする請求項１ないし３のいずれかに記載の押ボタンスイッチ。
【請求項５】
筒状の可動体に照光器を着脱可能に収納したことを特徴とする請求項１ないし４のいずれかに記載の押ボタンスイッチ。
【発明の詳細な説明】
【０００１】
【産業上の利用分野】
この発明は、各種機器の制御用スイッチとして使用されるロック機構付の押ボタンスイッチに関するものである。
【０００２】
【従来の技術】
従来、この種の押ボタンスイッチとして、たとえば特開平３−１４５０２４号公報に記載のものが知られている。すなわち、従来の押ボタンスイッチは、たとえば図１０で示す筒状のケース本体１に筒状の操作体２を所定の範囲内で往復動および回動可能に嵌合し、上記操作体２の一端部に押ボタン３を装着するとともに、上記操作体２に筒状の可動体４を所定の範囲内で往復動可能に嵌合し、上記可動体４の他端部外周壁に形成された係合凹所４ａに係脱可能に係合するロック子５を上記ケース本体１の内周壁にその軸線に直交する径方向へ突没可能に収納し、上記可動体４の移動で開閉操作される内蔵スイッチ６を上記ケース本体１の他端部に着脱可能に装着して構成されている。
【０００３】
上記ケース本体１の一端側内部には上記操作体２との間に第１のばね部材７を収納して上記押ボタン３の押し出し方向へ常時ばね力を付勢するとともに、上記操作体２の内周壁に突設された係合突部２ａに上記可動体４の係合突部４ｂを係脱可能に係止させ、これら両係合突部２ａ，４ｂの係合を保持する第２のばね部材８が上記操作体２と可動体４との間に介装され、かつ、上記ロック子５を上記係合凹所４ａに係合保持させる第３のばね部材９が上記係合凹所４ａに収納されて上記ケース本体１とロック子５との間に圧縮状態で介装されている。
【０００４】
上記構成において、押ボタン３を第１のばね部材７のばね力に抗して押圧すると、操作体２がケース本体１の内方へ押し込まれ、上記操作体２の他端部２ｂが可動体４の他端側外周壁に突設された係合突部４ｃに当接し、その押し込み過程で第２のばね部材８を圧縮させ、このばね部材８のばね力がロック子５を上記係合凹所４ａに係合保持するための摩擦抵抗に打ち勝つと、上記操作体４の係合凹所４ａに係合するロック子５が第３のばね部材９のばね力に抗してケース本体１の内周壁に形成されたロック子収納凹所１ａに没入し、上記可動体４のロックを解除する。
【０００５】
このロック解除で、押ボタン３の押し込み過程において第２のばね部材８に蓄積された圧縮ばね力が開放され、上記可動体４は内蔵スイッチ６の方向へ飛び出して上記スイッチの操作杆１０に当接し、上記内蔵スイッチ６の開閉機構６ａを反転動作させるとともに、上記可動体４の外周壁に突設された係止突部４ｄが再突出したロック子５に係止されて、上記開閉機構６ａの反転動作を保持する。なお、上記押ボタン３を軸まわりに回動させると、所定の回動位置で上記ロック子５と係止突部４ｄの係止が解除され、第１のばね部材７のばね反力で図示の状態に復帰し、上記内蔵スイッチ６を原状に復帰させる。
【０００６】
【発明が解決しようとする課題】
上記構成によれば、ロック子５は、押ボタン３の押し込み過程で可動体４の飛び出しを阻止しながら第２のばね部材８に圧縮ばね力を蓄積させるロック機能と、第３のばね部材９のばね力を受けて上記係合凹所４ａに係合保持された上記ロック子５の摩擦抵抗に打ち勝って、上記第２のばね部材８に蓄積された圧縮ばね力を開放させるロック解除機能との相反する両機能を備えなければならず、以下に列挙するような諸種の課題がある。
【０００７】
すなわち、(I)ロック子５は、可動体４の係合凹所４ａとの摩擦抵抗および第３のばね部材９のばね力を高めて安定したロック機能を確保しようとすると、ロック解除の際に高摩擦抵抗とばね反力との相乗効果でその飛び出し速度が減速され、内蔵スイッチ６をスイッチングさせるための応答性が低下する。
【０００８】
(II)他方、上記ロック子５の可動体４に対する摩擦抵抗および第３のばね部材９のばね力を低下させると、そのロック機能を確保するために第２のばね部材８のばね力を低減しなければならず、このばね部材８の圧縮ばね力の低下で上記可動体４のロック解除時における上記可動体４の飛び出し速度が減速され、上記内蔵スイッチ６のスイッチングの応答性がやはり低下する。
【０００９】
(III)また、上記ロック子５のロック機能とロック解除機能とは相反する機能であるから、これら両機能を確保するために、上記可動体４に対するロック子５の摩擦抵抗、第２および第３のばね部材８，９の各ばね力の調整がきわめて面倒かつ困難で、押ボタンスイッチのロック機構の信頼性に欠けるおそれがある。
【００１０】
(ＩＶ)しかも、上記ロックおよびロック解除機構は、ロック子５や第３のばね部材９を要して部品点数が増加し、かつ製造組立の作業能率が低下して高価となるばかりでなく、可動部分であるロック子５に摩擦抵抗に基づく磨耗粉の発生などで故障し易く短寿命である。
【００１１】
(Ｖ）さらに、押ボタン３の押し込み過程において、可動体４の飛び出しをロック子５で阻止しながら第２のばね部材８に圧縮ばね力を蓄積させるために、上記押ボタン３とロック子５との間に操作体２の他端部２ｂが当接する係合突部４ｃを上記可動体４の外周壁に突設しなければならず、ケース本体１の軸長が長くなるとともに、上記ロック子５が押ボタン３の操作方向である軸方向と直交する径方向へ突没する構造であるために、押ボタンスイッチの全体構造が大型化する。
【００１２】
（ＶＩ）とくに、この押ボタンスイッチを照光式とするために、可動体４の内部空間４ｅに発光器（図示せず）を収納すると、上記ロック子５が押ボタン３の操作方向と直交する径方向へ突没する構造であるため全体構造が一層大型化する。  これらのことは、図１１の模式図で示す押ボタンスイッチにおけるロック機構についてもほぼ同様な課題がある。すなわち、図１０と同一もしくは相当部分に同一の符号を付して説明すると、図１０において、ロック子５がケース本体１側に装着されていたのに対し、図１１で示すように、上記ロック子５を可動体４側に装着して、その係合突部１ｃを上記ケース本体１の内周壁に突設し、同図（Ａ）におけるロック子５のロック状態から、同図（Ｂ）で示すように、可動体４の飛び出しをロック子５で阻止しながら第２のばね部材８に圧縮ばね力を蓄積させたのち、同図（Ｃ）における上記ロック子５のロック解除動作をさせる構成においても、上記（Ｉ）ないし（ＶＩ）とほぼ同様な課題がある。
【００１３】
この発明は上記課題を解消するためになされたもので、ロック機能とロック解除機能との相反する両機能を分離することにより、開閉操作の応答性および信頼性を高め、少ない部品点数で構造を簡素化し、小型で製造組立作業を容易かつ安価にして長寿命な、しかも、内蔵スイッチの開閉機構を反転動作させたときに、その反転動作状態を保持できる押ボタンスイッチを提供することを目的としている。
【００１４】
【課題を解決するための手段】
上記目的を達成するため、請求項１の発明による押ボタンスイッチは、筒状のケース本体と、端部に押ボタンが装着されて上記ケース本体の一端部にばね反力を受けて軸移動可能に嵌合された筒状の操作体と、この操作体に所定の範囲内で往復動および旋回可能にばね反力を受けて嵌合された筒状の可動体と、この可動体で開閉操作される内蔵スイッチと、上記可動体を所定位置にロック保持するロック機構と、上記操作体の所定の軸移動に応動して所定の回動位置で上記可動体のロックを解除するロック解除機構とを具備し、上記ロック機構は、上記ケース本体の周壁に突設されたロック用突片と、上記可動体の周壁に形成されて上記ロック用突片に係合されるロック用溝とを備え、上記ロック解除機構は、上記可動体の周壁に突設された操作突部と、上記操作体の周壁に形成された傾斜面を有する操作溝とを備え、上記ロック機構の上記ロック用溝が上記ロック用突片に係合したロック状態で上記押ボタンを押圧操作して上記操作体と可動体との間に介装されたばね部材に圧縮およびねじりばね力を蓄積し、上記押ボタンの所定の押し込み位置で、上記押ボタンの押し込みに伴う上記操作体の軸移動によって、上記ロック解除機構の上記操作溝の上記傾斜面を、上記操作突部に強制的に押圧させて上記可動体を強制的に旋回させ、上記ロック解除機構の上記可動体を旋回させるロック解除動作で上記ロック機構の上記ロック用溝と上記ロック用突片との係合を解除して、上記可動体を瞬時に飛び出させて上記内蔵スイッチを開閉操作させるとともに、上記ねじりばね力によって上記可動体を旋回復帰させて該可動体を操作位置に保持して上記内蔵スイッチの動作状態を保持するように構成したことを特徴とする。
【００１５】
請求項２の発明による押ボタンスイッチは、上記内蔵スイッチの動作状態は、上記可動体の周壁に形成された係止突部を、上記ロック用突片に係合させることによって保持されることを特徴とする。請求項３の発明による押ボタンスイッチは、上記ケース本体の上記ロック用突片が円弧状片から構成されていることを特徴とする。
【００１６】
請求項４の発明による押ボタンスイッチは、操作体の周壁に係合突起を突設し、上記係合突起より大口径の係合穴を可動体に形成して、上記操作体を可動体に軸移動および回動可能に嵌合するとともに、上記係合突起を係合穴に遊嵌して、上記可動体が操作体に対し所定の範囲内で軸移動および旋回可能に結合されていることを特徴とする。請求項５の発明による押ボタンスイッチは、筒状の可動体に照光器を着脱可能に収納したことを特徴とする。
【００１７】
【作用】
請求項１の発明によれば、押ボタンの押し込み過程で可動体の飛び出しを阻止しながらばね部材に圧縮ばね力を蓄積させるロック機能と、上記可動体のロックを解除して上記ばね部材に蓄積された圧縮ばね力を開放させるロック解除機能との相反する両機能を分離することができるから、上記可動体はロック機構の影響を受けることなくロック解除されて高速度で飛び出し、内蔵スイッチのスイッチングの応答性を高め、かつ、ロック機構とロック解除機構とが互いに影響されることなく容易に構成することができ、安定なロックおよびロック解除機構となって信頼性を向上させることができる。また、ロック機構が押ボタンの押し込み過程で上記可動体の周壁に形成されたロック用溝をケース本体の周壁に突設されたロック用突片に係合させる構成であるから、押ボタンの押圧操作時におけるロック状態が一層安定し、操作体と可動体との間に介装されたばね部材の圧縮ばね力を高めて、上記可動体のロック解除時における高速度飛び出しを達成してスイッチングの応答性を高めることができる。さらに、ロック解除機構は、操作体に形成された操作溝が上記可動体の操作突部を強制的に押圧することにより達成されるから、ロック機構に影響されて上記可動体の飛び出し速度を減速させることなく、上記可動体を高速度で飛び出させて内蔵スイッチのスイッチングの応答性を一層高めることができる。
【００１９】
請求項３の発明によれば、ケース本体のロック用突片が円弧状片から構成であるから、押ボタンの押圧操作時におけるロック状態が一層安定化し、上記可動体のロック解除動作時における高摩擦抵抗部分をなくして磨耗しにくく、長寿命となる。
【００２０】
請求項４の発明によれば、操作体の周壁に係合突起を突設し、上記係合突起より大口径の係合穴を可動体に形成し、上記操作体を可動体に軸移動および回動可能に嵌合するとともに、上記係合突起を係合穴に遊嵌して、上記可動体が操作体に対し所定の範囲内で軸移動および旋回可能に結合されているから、上記操作体に対する可動体の軸移動および旋回動作が一層安定し、スイッチング動作の信頼性を高めることができる。請求項５の発明によれば、筒状の可動体に照光器を着脱可能に収納することにより、小型の照光式押ボタンスイッチを容易に提供することができる。
【００２１】
【実施例】
以下、この発明の実施例を図面にもとづいて説明する。図１はこの発明による押ボタンスイッチを示す縦断面図、図２は図１のＡ−Ａ線に沿う縦断面図、図３は同押ボタンスイッチの要部の分解斜視図である。同図において、この押ボタンスイッチは、大別して筒状のケース本体１１と、このケース本体１１の一端部に軸移動可能に嵌合された筒状の操作体１２と、この操作体１２に嵌着された押ボタン１３と、上記操作体１２に所定の範囲内で往復動および回動可能に嵌合された筒状の可動体１４と、この可動体１４で開閉操作される内蔵スイッチ１５と、第１および第２のばね部材１６，１７とを具備して構成されている。
【００２２】
すなわち、第１のばね部材１６が嵌挿された押ボタン１３（第４図）を上記ケース本体１１の一端部に軸移動および着脱可能に嵌合するとともに、上記押ボタン１３の内底部に突設された係止片１３ａの係止孔１３ｂに上記操作体１２の外周壁に突設された係止爪１２ａ（第５図）を係止させることにより、上記操作体１２が押ボタン１３の押圧操作で一体的に軸移動するように構成されている。上記操作体１２の内周壁には係合突起１２ｂ（第３図）が突設されるとともに、この係合突起１２ｂよりも大口径の係合穴１４ａ（第６図）が上記可動体１４の周壁に形成され、図７で明示すようにケース本体１１に嵌挿された上記可動体１４に上記操作体１２を嵌合した際、上記係合突起１２ｂが図８で明示すように上記係合穴４ａに遊嵌されて、上記可動体１４が操作体１２に対し所定の範囲内で軸移動および回動可能に結合されている。
【００２３】
また、上記可動体１４の外周壁には操作突部１４ｂが突設され、この操作突部１４ｂを押圧回動操作する操作溝１２ｃが上記操作体１２の外周壁に形成され、上記操作溝１２ｃは上記操作体１２の外周壁にその軸線に対し傾斜させて形成され、上記押ボタン１３を押圧操作した際、上記操作体１２の直進移動に対し、上記操作突部１４ｂが上記操作溝１２ｃの傾斜面１２ｃ１に沿って移動して旋回するように構成されている。さらに、上記可動体１４の外周壁には上記ケース本体１１の内周壁に突設されたロック用突片１１ｂ（図７）に係脱可能に係合されるロック用溝１４ｃが形成され、上記操作体１２と可動体１４との間に介装された第２のばね部材１７のばね力を受けて、上記可動体１４のロック用溝１４ｃが上記ケース本体１１のロック用突片１１ｂに係合保持されている。
【００２４】
つぎに、上記構成の動作について説明する。まず、図９（Ａ）で示すように、可動体１４のロック用溝１４ｃが上記ケース本体１１のロック用突片１１ｂに係合保持されている初期状態において、上記操作体１２と可動体１４との間に介装された第２のばね部材１７のばね力を受けて、上記可動体１４が矢印Ｒ１方向へ旋回して上記可動体１４が上記ケース本体１１にロック保持されている。
【００２５】
このロック状態において、押ボタン１３を第１のばね部材１６に抗して矢印Ｐ方向へ押圧すると、操作体１２がケース本体１１の内方へ直進移動して押し込まれ、その押し込み過程において、上記可動体１４はその操作突部１４ｂが上記操作体１２の操作溝１２ｃにおける傾斜面１２ｃ１で押圧されることにより、矢印Ｒ２方向へ旋回操作される。その際、上記可動体１４はその外周壁に形成されたロック用溝１４ｃがケース本体１１のロック用突片１１ｂに係合保持されているから、軸方向へ移動することなく旋回し、この旋回動作で上記第２のばね部材１７をねじり圧縮してばね力を蓄積させる。
【００２６】
押ボタン１３の押圧を継続し、上記可動体１４が矢印Ｒ２方向へ旋回して、同図（Ｂ）で示すように上記ロック用突片１１ｂに対するロック用溝１４ｃの係合が解除されると、そのロック解除で上記第２のばね部材１７に蓄積された圧縮ばね力が開放され、上記可動体１４は内蔵スイッチ１５の方向へ瞬時に移動して操作杆１８に当接し、上記内蔵スイッチ１５の開閉機構１９を反転動作させる。それと同時に、上記第２のばね部材１７が同図（Ｃ）で示すように上記可動体１４を矢印Ｒ１方向へ旋回復帰させ、上記可動体１４の係止突部１４ｄがケース本体１１の上記ロック用突片１１ｂに係合されてロック保持され、上記開閉機構１９の反転動作を保持する。なお、同図（Ｃ）で示す状態において、上記押ボタン１３を押圧すると、上記可動体１４は矢印Ｒ２方向へ旋回されて、上記可動体１４をロック解除することができる。
【００２７】
また、上記構成において、図１および図２で示すように、筒状の可動体１４に照光器２２を着脱可能に収納し、上記内蔵スイッチ１５に隣接して設定された端子片２３に上記照光器２２の端子片２２ａを着脱可能に接続することにより、小型の照光式押ボタンスイッチを容易に提供することができる。
【００２８】
（Ｉ）上記構成によれば、押ボタン１３の押し込み過程で可動体１４の飛び出しを阻止しながら第２のばね部材１７に圧縮ばね力を蓄積させるロック機能と、上記可動体１４のロックを解除して上記第２のばね部材１７に蓄積された圧縮ばね力を開放させるロック解除機能との相反する両機能を分離したから、以下に列挙するような諸種の利点がある。
【００２９】
すなわち、（II）互いに嵌合されて結合関係にある操作体１２および可動体１４で上記ロック機構２０およびロック解除機構２１を構成したから、各構成部品の部品点数が少なく、製造組立性がきわめて良好で安価となる。
【００３０】
（III）可動体１４のロック機構２０が押ボタン１３の押し込み過程で上記可動体１４の周壁に形成されたロック用溝１４ｃをケース本体１１の周壁に突設されたロック用突片１１ｂに係合させる構成であるから、押ボタン１３の押圧操作時におけるロック状態が一層安定し、操作体１２と可動体１４との間に介装された第２のばね部材１７の圧縮ばね力を高めて、上記可動体１４のロック解除時における高速度飛び出しを達成してスイッチングの応答性を高めることができる。
【００３１】
（ＩＶ）上記可動体１４の周壁に形成されたロック用溝１４ｃに係合されるケース本体１１のロック用突片１１ｂが円弧状片から構成されているから、押ボタン１３の押圧操作時におけるロック状態が一層安定化し、上記可動体１４のロック解除動作時における高摩擦抵抗部分をなくして磨耗しにくく、長寿命となる。
【００３２】
（Ｖ）可動体１４のロック解除機構２１は、操作体１２に形成された操作溝１２ｃが上記可動体１４の操作突部１４ｂを強制的に押圧することにより達成されるから、ロック機構２０に影響されて上記可動体１４の飛び出し速度を減速させることなく、上記可動体１４を高速度で飛び出させて内蔵スイッチ１５のスイッチングの応答性を一層高めることができる。
【００３３】
（ＶＩ）操作体１２の周壁に係合突起１２ｂを突設し、上記係合突起１２ｂより大口径の係合穴１４ａを可動体１４に形成し、上記操作体１２を可動体１４に軸移動および回動可能に嵌合するとともに、上記係合突起１２ｂを係合穴１４ａに遊嵌して、上記可動体１４が操作体１２に対し所定の範囲内で軸移動および旋回可能に結合されているから、上記操作体１２に対する可動体１４の軸移動および旋回動作が一層安定し、スイッチング動作の信頼性を高めることができる。
【００３４】
（ＶII）操作体１２の係合突起１２ｂを可動体１４の大口径係合穴１４ａに遊嵌させるガイド溝１４ｅを上記可動体１４の一端部に形成したから、上記操作体１２に対する可動体１４の嵌合組立作業が容易である。
【００３５】
（ＶIII）操作体１２の操作溝１２ｃで強制的に押圧される操作突部１４ｂを可動体１４の一端部側周壁に突設するとともに、ケース本体１１のロック用突片１１ｂに係脱可能に係合させるロック用溝１４ｃを上記可動体１４の他端部側周壁に突設したから、上記可動体１４のロック機構２０とロック解除機構２１とを互いに近接して構成することができ、軸長が短かく、かつ、従来のロック子のように押ボタンの操作方向と直交する方向へ突没する部材がないために、ケース本体１１が小径化し、全体構造を小型化することができる。
【００３６】
（ＩＸ)操作体１２の操作溝１２ｃが上記操作体１２の周壁にその軸線に対して傾斜する傾斜面１２ｃ１を有するから、可動体１４の操作突部１４ｂを強制的に押圧する押圧力を軽減することができる。また、筒状の可動体１４に照光器２２を着脱可能に収納することにより、小型の照光式押ボタンスイッチを容易に提供することができる。
【００３７】
【発明の効果】
以上のように、請求項１の発明によれば、押ボタンの押し込み過程で可動体の飛び出しを阻止しながらばね部材に圧縮ばね力を蓄積させるロック機能と、上記可動体のロックを解除して上記ばね部材に蓄積された圧縮ばね力を開放させるロック解除機能との相反する両機能を分離することができ、上記可動体はロック機構の影響を受けないでロック解除されて高速度で飛び出し、内蔵スイッチのスイッチングの応答性を高めることができ、かつ、ロック機構とロック解除機構とが互いに影響されることなく動作して、スイッチング動作の信頼性を向上させることができる。
【００３８】
請求項２の発明によれば、可動体のロック機構が押ボタンの押し込み過程で上記可動体の周壁に突設された係止突部をケース本体の周壁に突設されたロック用突片に係合させる構成であるから、押ボタンの押圧操作時におけるロック状態が一層安定し、操作体と可動体との間に介装されたばね部材の圧縮ばね力を高めて、上記可動体のロック解除時における高速度飛び出しを達成してスイッチングの応答性を高めることができる。
【００３９】
請求項３の発明によれば、上記可動体の外周壁に突設された係止突部を係合させるケース本体のロック用突片が円弧状片から構成であるから、押ボタンの押圧操作時におけるロック状態が一層安定化し、上記可動体のロック解除動作時における高摩擦抵抗部分をなくして磨耗しにくく、長寿命となる。請求項４の発明によれば、可動体のロック解除機構は、操作体に形成された操作溝が上記可動体の操作突部を強制的に押圧することにより達成されるから、ロック機構に影響されて上記可動体の飛び出し速度を減速させることなく、上記可動体を高速度で飛び出させて内蔵スイッチのスイッチングの応答性を一層高めることができる。
【００４０】
請求項５の発明によれば、操作体の周壁に係合突起を突設し、上記係合突起より大口径の係合穴を可動体に形成し、上記操作体を可動体に軸移動および回動可能に嵌合するとともに、上記係合突起を係合穴に遊嵌して、上記可動体が操作体に対し所定の範囲内で軸移動および旋回可能に結合されているから、上記操作体に対する可動体の軸移動および旋回動作が一層安定し、スイッチング動作の信頼性を高めることができる。請求項６の発明によれば、筒状の可動体に照光器を着脱可能に収納することにより、小型の照光式押ボタンスイッチを容易に提供することができる。
【図面の簡単な説明】
【図１】この発明による押ボタンスイッチの一例を示す縦断面図である。
【図２】図１のＡ−Ａ線に沿う断面図である。
【図３】同押ボタンスイッチの要部の分解斜視図である。
【図４】同押ボタンスイッチの要部の分解斜視図である。
【図５】同押ボタンスイッチの要部の分解斜視図である。
【図６】同押ボタンスイッチの要部の分解斜視図である。
【図７】同押ボタンスイッチの組み立てられた要部の斜視図である。
【図８】同押ボタンスイッチの要部の組立斜視図である。
【図９】同押ボタンスイッチの動作を説明する模式図である。
【図１０】従来の押ボタンスイッチの一例を示す縦断面図である。
【図１１】従来の押ボタンスイッチの他の例を示す模式図である。
【符号の説明】
１１ ケース本体
１１ｂ ケース本体のロック用突片（円弧状片）
１２ 操作体
１２ｂ 操作体の係合突起
１２ｃ 操作体の操作溝
１２ｃ１ 操作体の傾斜面
１３ 押ボタン
１４ａ 係合穴
１４ｂ 可動体の操作突部
１４ｃ 可動体のロック用溝
１４ｅ ガイド溝
１５ 内蔵スイッチ
１６ 第１のばね部材
１７ 第２のばね部材
２０ ロック機構
２１ ロック解除機構
２２ 照光器
【図１】
0003991421.tif 000002
【図２】
0003991421.tif 000003
【図３】
0003991421.tif 000004
【図４】
0003991421.tif 000005
【図５】
0003991421.tif 000006
【図６】
0003991421.tif 000007
【図７】
0003991421.tif 000008
【図８】
0003991421.tif 000009
【図９】
0003991421.tif 000010
【図１０】
0003991421.tif 000011
【図１１】
0003991421.tif 000012